Podtech/llm-jp-corpus-v4-ja_patent huggingface dataset:
(57)【特許請求の範囲】
【請求項１】
メラミンフォーム塊の片側平面に熱可塑性樹脂を含浸溶着し、該メラミンフォーム片側平面に添って薄くスライスカットした後、前記メラミンフォーム熱可塑性樹脂含浸平面を互いに合わせ置き、該外周部を加熱することでメラミンフォーム構成壁内に位置する気泡空間内を通過する熱をもって、前記熱可塑性樹脂の外周部を溶解し、該粘性を利用溶着したことを特徴とするメラミンフォーム袋の製造方法。
【発明の詳細な説明】
【技術分野】
【０００１】本発明は、メラミンフォーム袋の製造方法に関する。
【背景技術】
【０００２】メラミンフォームにおいて、その片側平面に熱可塑性ゴムシートを含浸し強度上昇を計った歯面清掃用商品の公報は本発明者が出願した下記文献である。【０００３】
【特許文献１】特開２０１１−４２１５４公報
【特許文献２】特願２０１４−１１７０８５公報
【発明の開示】
【発明者が解決しょうとする課題】
【０００４】メラミンフォームはホームセンター等において適当なサイズにカットされ販売される商品が大半であり、ハンドル等に固定されたり、取り替え自由に装着できるタイプの商品においても、その原形は板形状のものが全てと言える。そして、この形状であるために、取り付け方法においても限定されることとなってしまい、商品に広がりのないことが欠点と言える。
【０００５】メラミンフォームの長所だけを考察し、生活用品だけに限定したとしても清掃用品、保温用品、そして、口腔内清掃用品などが思量できる。そして、これらの商品全てに使用できる商品の形状加工の実現を課題とした。
【課題を解決するための手段】
【０００６】メラミンフォームを薄くスライスし、その片側平面に熱可塑性樹脂を含浸した後、互いの熱可塑性樹脂含浸面を重ね合わすか、折り畳み加熱することで外周の熱可塑性樹脂のみを再溶解し、その粘性を利用して接着、メラミンフォームの袋を製造する。
【発明の効果】
【０００７】メラミンフォームを任意形状の袋に加工することで、容易にハンドルに差し込み装着することができ取り替え方式の商品となる。又、一部分を同様の熱溶着により固定することで固定商品となる。強度が必要な商品の場合は、メラミンフォーム全面を熱溶着により固定する方法もある。
【０００８】使い捨てカイロなどをメラミンフォーム袋に入れ保温することで、使用時間を延長する場合などは、メラミンフォーム袋を反転させることで、メラミンフォーム面を内側とするだけで容易に実行することができ、低温火傷の必配も軽減する。
【０００９】又、使い捨てカイロの場合はメラミンフォーム袋の口を閉め空気を遮断することで発熱を一時止めることができる。これにより、使い捨てカイロを必要な時間のみ使用することが可能となった。
【発明を実施するための最良の形態】
【００１０】以下、本発明を実施するための最良の形態を図をもって説明する。【００１１】メラミンフォーム１の片側平面に熱可塑性樹脂２を含浸溶着し、そのメラミンフォーム１を薄くスライスカットする。そのメラミンフォーム１を熱可塑性樹脂２含浸面を内側とし重ね合わせた状態を示したものが図１である。【００１２】その図１の外周部２Ａのみを熱溶着することで、図２で示すような袋形状となり成形ハンドル３に差し込むことで、清掃用具などの商品となる。そのメラミンフォームを差し込むだけの場合は取り替え式となり、一部分を成形ハンドル３に固定する場合は、袋を製造するときと同様に加熱し熱溶着することで実現する。【００１３】この袋を表裏反転し、メラミンフォーム１面を内側とすることで保温袋となり、使い捨てカイロを挿入する場合は、その使い捨てカイロの構造から、開放部分を密封することで発熱は一時停止し必要な時のみ温めることができる。当然、メラミンフォーム袋に入れることで使い捨てカイロ自体の使用時間が延長する。
【図面の簡単な説明】
【００１４】
【図１】薄くスライスカットしたメラミンフォーム片面に熱可塑性樹脂を含浸した後、熱可塑性樹脂面を内側にして重ねた状態を示す斜射図。
【図２】図１のメラミンフォーム外周部を熱により溶着し、袋状態にしたことを示す斜射図。
【図３】図２の袋状態のメラミンフォームを、成形ハンドルに差し込んだ斜射図。
【符合の説明】
【００１５】１、  メラミンフォーム
２、  熱可塑性樹脂
２Ａ、外周部
３、  成形ハンドル
【図１】
0006977216.tif 000002
【図２】
0006977216.tif 000003
【図３】
0006977216.tif 000004
(57)【特許請求の範囲】
【請求項１】
幅７〜１０ｍｍ程度の粒で粘性をもった半固形のグミ状の寒天ゼリーからなり、就寝前に舌下錠の要領で口腔底に含ませることで、就寝中でも口腔底に異物が滞っている状態をつくるための、いびき軽減用の食品。
【発明の詳細な説明】
【技術分野】
【０００１】  本発明は、就寝中のいびきを軽減する食品に関するものである。
【背景技術】
【０００２】  いびきに悩む人は多く、しかも周りの人々を巻き込んでいるのが実情。その軽減や防止に関する医薬品や医療器具をはじめ、食品も含め多種多様である。
【先行技術文献】
【特許文献】
【０００３】
【特許文献１】特開２００８−１８９５６８
【特許文献２】特開２０１３−１２１９２９
【特許文献３】特願２０１５−２２０７２９
【発明の概要】
【発明が解決しようとする課題】
【０００４】  いびきの原因の一つは、就寝中に舌の動きが弛緩、休止して気道を塞ぐために発生すると考えられている。対処法としての装置や器具の多くは身体的に負担を伴い、却って安眠を妨げるものもあり、簡単で気軽に利用できるものが少ない。食品分野から貢献できるものを追求した。
本発明は、以上の問題点を解決するためのものである。
【課題を解決するための手段】
【０００５】  就寝中でも、口腔底に異物が滞っている状態をつくるために、小さな半固形のゼリー状食品を取り入れ、それに舌を断続的に絡ませ、口内前方に誘導することで、気道が塞がれるのを防止しようというのが狙い。必要以上に余分なものを排除し、滑らかな食感と無味なこと、食品としての安全性を考慮し、誤飲しても無害で問題のないシンプルな食品であることが重要である。
以上の構成よりなるいびきを軽減する食品である。
【発明の効果】
【０００６】  いびき軽減、防止で重要なことは快適な睡眠の妨げになっては本末転倒で、シンプルさを第一義に考えた。デリケートな口腔内は、何よりも負担が少ないように配慮し、違和感のない食感を保った小さな半固形ゼリーが最適。それを口腔底で少なくても約２時間含み続けることが望ましい。食品だが、食べないで効果を得る、食べても問題ないのが特徴。
【図面の簡単な説明】
【０００７】
【図１】本発明の概略図
【図２】本発明の使用状態を示す断面図
【発明を実施するための形態】
【０００８】  以下、本発明の形態を説明する。
（イ）食品の原材料は寒天で、滑らかな食感と粘性を持たせた半固形のグミ状ゼリーとす      る。
（ロ）大きさは、幅７〜１０ｍｍの粒状で、必ずしも綺麗な球状でなくてもよい。
本発明は以上のような構造である。
本発明の使用要領は、簡単で、就寝前にこの食品の粒を口腔底に含ませるだけである。しばらく静かに落ち着かせて就寝に入るのが良い。就寝中は断続的に舌が絡み、気道を保つという想定である。口腔底で２時間ほど含み続けられるのが望ましい。安全性を考慮した食品なので、飲み込んでも無害で問題はない。
【図１】
0006935636.tif 000002
【図２】
0006935636.tif 000003
(57)【特許請求の範囲】
【請求項１】
防護袋（以下、袋）は、表面に、タイル状のものが、目地を介して並び、張り付けられ
0006829536.tif 000002
人間が入る、出入口部分に、ファスナーが付いていて、その５ｃｍ奥側に、予備のファスナーがあり、どちらも、内側から閉じるファスナーとなっていて、熊の攻撃によって、壊され、閉じ込めの状態になった時のため、ファスナーの、数や位置は、復数となっている袋であり、袋の内側は、熊からの衝撃を、小さくするための、クッション材が付いていて、袋の内側には、外の様子を見るため、必要箇所に、ネジで回るキャップがあり、キャップは、消失防止用のひもによって、ネジ部分とつながっていて、袋の内側から、キャップを回し外すと、穴が開き、熊の確認と、熊よけスプレーの噴射によって、熊を退散させ、身体を護る、防護袋。
【発明の詳細な説明】
【発明の概要】
【発明が解決しようとする課題】
【０００１】  山の中など、熊に、襲われる危険がある。
【課題を解決するための手段】
【０００２】  熊に襲われる、おそれがある時、防護袋（以下、袋）に体を入れ、身体を護る。【０００３】  袋の表面は、タイル状のもの（形や大きさは、３ｃｍか、５ｃｍか、１０ｃｍか判からない）が、目地を介して並び、張り付けられていて、タイル表面の硬さにより、熊からの攻撃に耐える。【０００４】  目地や袋も、熊の、爪や牙を通さない。【０００５】  袋の内側の必要箇所に、ネジで回るキャップがあり、キャップは、ネジ部分と、消失防止用のひもにつながれていて、キャップを外すと、２ｃｍ位の穴となり、外の様子を見たり、穴から、熊よけのスプレーを噴射でき、スプレーは、キャップ近くに、装備されている。【０００６】  袋の内側に、帯状の取っ手が、必要箇所にあり、袋の中で、かがんだ状態で、両手で、取っ手を握り、ふんばることができる。【０００７】  袋の内側は、熊からの衝撃を吸収するため、クッション材が付いている。【０００８】  袋の形は２つあり、１つは、ポンチョ型となっていて、上側（首）と下側（スネ位の位置）に、体を通す空間があり、首の上端部にファスナーがあり、上端部より５ｃｍ位下にも、予備のファスナーが付いていて、どちらも、袋の内側から、閉じることができる。【０００９】  ポンチョの下側（スネ位の位置）にも、下端部にファスナーがあり、その５ｃｍ上に、予備のファスナーがあり、どちらも、内側から、閉じることができる。【００１０】  熊が近づくと、ポンチョ型の袋を、荷物から出し、（上側のファスナーは、初めから閉じている）頭から被り、ひざを曲げ、体を縮め、袋の上に乗り、下側のファスナーを閉じ予備のファスナーも、閉じる。【００１１】  地面に伏せるようにして、手で頭を覆い、同時に、取っ手を握り、袋の中で、体を固定し、ふんばる。【００１２】  万が一、上下４つのファスナーが壊れ、閉じ込めの状態になった時のため、ポンチョの側面にも、ファスナーと予備のファスナーを作り、計６つのファスナーがある。【００１３】  ポンチョ型の袋は、ポンチョとして使用できる。【００１４】  もう１つは、寝袋型で、ポンチョ型と同じく、タイル状となっていて、目地や袋も、熊の爪や牙を通さない。【００１５】  熊の危険を感じた時、荷物から寝袋を出し、下半身から寝袋に入り、頭の上で、ファスナーを閉じ、内側のファスナーも閉じる。【００１６】  体を反転させ、うつ伏せ状態となり、ひざを曲げ、頭をかかえ、取っ手を握りふんばる【００１７】  ポンチョ型と同じく、スプレー用のキャップがあり、袋の内側には、クッション材が付いていて、キャップ近くに、スプレーが、装備されている。
【発明の効果】
【００１８】熊から、身体を護ることができる。
【要約】      （修正有）【課題】山中などで熊等の野生動物に襲われたとき、その攻撃に耐え身体をまもる防護袋を提供する。【解決手段】表面に、タイル状のものが目地を介して張り付けられており、タイル表面の硬さによって野生動物からの攻撃に耐え身体を守る防護袋であって、人間が袋内に入り、内側から閉じるファスナーを具備し、袋の内側は、熊からの衝撃を、小さくするための、クッション材が付いている。袋の内側には、外の様子を見るため、ネジで回るキャップがあり、袋の内側からキャップを回し外すと穴が開き、熊の確認と熊よけスプレーの噴射によって、熊を退散させる【選択図】なし
(57)【特許請求の範囲】
【請求項１】
先端部の軸径を握持部の軸径と同じ程度まで太く且つ断面形状を六角形に形成し、さらに当該先端部はその中心を軸として３６０度に回転が可能となるよう構成することにより、容易に食材に突き刺さらず且つ先端部が太くなるにもかかわらず、食材を掴む際には挟む力により先端部が回転し食材と先端部六角形の一側面が接触する向きで安定固止することにより、麺類も含めた種々の食材を確実に掴めることを特徴とする調理用箸。
【発明の詳細な説明】
【技術分野】
【０００１】  本発明は、調理用の箸に関するものである。
【背景技術】
【０００２】  公知されている従来の調理用箸は握持部から箸先行くに従って細くなっている。
そのため、キャベツや薄い肉などの食材を調理する時に、箸先が食材に突き刺さり且つ貫通してしまい、調理の進行が阻害される。
また、その都度食材から箸を抜くという行為をしなければならず、非常に面倒である。
一方、茹で上がった麺類を掴もうとすると麺が滑ってなかなか掴めずイライラする。
【先行技術文献】
【特許文献】
【０００３】
【特許文献１】特開２００５−３２９２１１号公報
【特許文献２】実用新案登録第３１３７６４５号公報
【０００４】  特許文献１では、箸の先端による食材の突き刺さり防止が開示されている。
しかしながら、同文献で開示された解決手段は、先端の形状を雫状にする事であるため、箸の本来の機能である食材を掴むという機能が損なわれている。【０００５】  また、特許文献２では、麺類茹用先端突起物の付いた菜箸等が開示されている。しかしながら、同文献で開示された解決手段は、先端に突起物を付けることにより麺類を引っかけることであり、箸の本来の機能である食材を掴むという機能が損なわれている。
【発明の概要】
【発明が解決しようとする課題】
【０００６】  本発明が解決しようとする課題は、箸先の形状及び構成を変えることにより、麺類を含めた種々の食材を掴む機能を損なうことなく容易に食材に突き刺ささらない調理用箸を提供することにある。
【課題を解決するための手段】
【０００７】  本発明の調理用箸は、先端部の軸径を握持部の軸径と同じ程度まで太く且つ断面形状を六角形に形成し、さらに当該先端部はその中心を軸として３６０度に回転が可能となるよう構成することにより、容易に食材に突き刺さらず且つ先端部が太くなるにもかかわらず、麺類も含めた種々の食材を確実に掴めることを特徴とする。
【発明の効果】
【０００８】  調理の効率が改善される。
【図面の簡単な説明】
【０００９】
【図１】は、本発明に係る調理用箸の一実施例（以降、本実施例と言う。）の全体の斜視図である。
【図２】は、図１のうちの１本について先端部分を拡大した斜視図である。
【図３】は、本実施例における先端部が回転するための構成例を説明する斜視図である。（ａ）は構成前を（ｂ）は構成途中を（ｃ）は構成後を示している。
【図４】は、本実施例が食材を掴む場面を説明する斜視図である。（ａ）は全体を示し、（ｂ）及び（ｃ）は食材を掴む過程を示している。
【図５】は、従来の調理用箸では食材が突き刺さることを説明する斜視図である。
【図６】は、本実施例では容易に食材が突き刺さらないことを説明する斜視図である。
【図７】は、本実施例が麺類を掴む場面を説明する斜視図である、
【発明を実施するための形態】
【００１０】  本実施例について、図面に基づいて説明する。
図１は、一膳の全体を説明する図である。
本実施例は、木材等の滑りにくい部材で適宜形成される、先端部１、握持部３から構成され、先端部１は箸の軸を中心として３６０度に回転が可能となるよう構成する。
【００１１】  図２は、図１の先端部分を拡大した図である。
先端部１は、軸径４を握持部と同じ程度まで太く且つ断面形状を六角形に形成し、さらに当該部はその中心を軸として３６０度に回転が可能となるよう構成する。なお、当該長さは適宜とする。
【００１２】  また、先端部１の握持部３側には、垂直断面による、アゴ２が形成されている。
【００１３】  図３は、本実施例において、先端部１が箸の軸を中心として３６０度に回転が可能となるための構成例を示した図である。
図３（ａ）に示すように、先端部１の中心に回転軸穴５、キャップ穴６を設け、一方、握持部３の中心から回転軸７を突出し固定する。
【００１４】  図３（ｂ）に示すように、回転軸７に回転軸穴５を挿入していき、
【００１５】  図３（ｃ）に示すように、挿入した後にキャップ８をキャップ穴６に固定する。
このことにより、同図に示すように先端部１は３６０度の回転が可能な状態で握持部３と連結される。
【００１６】  なお、回転軸穴５の径は回転軸７の径よりわずかに大きく形成し、その程度は、先端部１が円滑な回転が行われる最小径とすることが適当である。
【００１７】  また、先端軸１がその中心を軸として３６０度に回転が可能となる構成であれば、図３に示す構成例に限らず、例えば先端部１から回転軸を突出するなど、適宜変更が可能とする。
【００１８】  図４は、本実施例が食材を掴む場面を説明する図である。
図４（ａ）は、全体を示す図であり、下記、図４（ｂ）、図４（ｃ）を説明するための視点３０を図中に示している。
【００１９】  図４（ｂ）に示すように、食材２０を掴んだ当初は先端部１の向きは任意であるため不安定であるが、食材を挟む力４０が加わることによって先端部１は回転し、ただちに図４（ｃ）に示すように、食材２０を掴むのに一番安定する向きに位置する。
このことにより、従来の調理用箸より先端部の軸径が太くなるにもかかわらず確実に食材を掴むことが出来る。
【００２０】  図５は、従来の調理用箸を説明する図である。
握持部から箸先に行くに従って細くなっているため、食材が突き刺さる。
【００２１】  図６は、本実施例を説明する図である。
先端部を太くすることにより食材が突き刺さらなくなる。
【００２２】  図７は、本実施例が麺類を掴む場面を説明する図である。
麺５０が、アゴ２に乗り且つ先端部１に挟まれるため、確実に掴むことができる。
【符号の説明】
【００２３】１    先端部
２    アゴ
３    握持部
４    軸径
５    回転軸穴
６    キャップ穴
７    回転軸
８    キャップ
２０  食材
３０  視点
４０  食材を挟む力
５０  麺
【要約】
【課題】  食材に突き刺さらない万能調理用箸を提供する。
【解決手段】先端部の軸径を握持部の軸径と同じ程度まで太く且つ断面形状を六角形に形成し、さらに当該先端部はその中心を軸として３６０度に回転が可能となるよう構成することにより、容易に食材に突き刺さらず且つ先端部が太くなるにもかかわらず、食材を掴む際には挟む力により先端部が回転し食材と先端部六角形の一側面が接触する向きで安定固止することにより、麺類も含めた種々の食材を確実に掴める。【図１】
0006923733.tif 000002
【図２】
0006923733.tif 000003
【図３】
0006923733.tif 000004
【図４】
0006923733.tif 000005
【図５】
0006923733.tif 000006
【図６】
0006923733.tif 000007
【図７】
0006923733.tif 000008
(57)【特許請求の範囲】
【請求項１】
アクセルペダルに装着しアクセルペダルを踏んだ時でもブレーキペダルより下にならないアクセルペダル嵩上げ部材。
【請求項２】
アクセルペダルに、結束バンド等で装着する請求項１記載のアクセルペダル嵩上げ部材。
【発明の詳細な説明】
【発明の詳細な説明】
【技術分野】
【０００１】  本発明は、既存のアクセルペダルに装着し、緊急の場合でも、ブレーキペダルとアクセルペダルの踏み間違いを防ぐアクセルペダル嵩上げ部材に関するものである。
【発明の概要】
【発明が解決しようとする課題】
【０００２】  これは次のような欠点があった  従来アクセルペダルを踏むと、ブレーキペダルより下の位置に、アクセルペダルが下るため、普通のブレーキ操作では、まず足を上げてから、横移動し、ブレーキペダルを踏めたのだったが、緊急の場合は、足を上げるのと横移動を同時に行ってしまうため、まだ足をブレーキペダルの上まで上げきっていない状態で横移動し、ブレーキペダルの側面に靴の側面が、当ってしまっていた。意識としては、ブレーキペダルの上だと思い踏み込むと、ブレーキペダルとアクセルペダルの間隔が狭いため、アクセルペダルを踏み込んでしまっていたのだったが、本発明は以上のようなブレーキペダルとアクセルペダルの踏み間違う欠点をなくすためになされたものである。
【課題を解決するための手段】
【０００３】  既存のアクセルペダルに踏んだ時でもブレーキペダルより下にならないペダル嵩上げ部材を装着する。
【発明の効果】
【０００４】  アクセルペダルに、踏み込んでもブレーキペダル上面より下にならないペダル嵩上げ部材を装着している構成になる。緊急の場合の足の上げ不足によるブレーキペダルの側面に靴の側面が当ってしまう状況が解消され、足の横移動だけでブレーキペダルの上にたっしブレーキペダルを踏むことが可能になり、ブレーキペダルとアクセルペダルの踏み間違いを起すことが解消される。
(57)【特許請求の範囲】
【請求項１】
２つの自在輪および２つの固定輪を持つロールパレットにおいて、長方形をなす底部の対をなす短辺の一方の短辺側に前記２つの固定輪を設けるとともに、前記対をなす短辺の他方の短辺側に前記２つの自在輪を設けることで、前記底部のそれぞれ４つの隅に前記自在輪および前記固定輪を１個ずつ備え、前記一方の短辺側に連結器を設け、前記２つの固定輪と、他の前記ロールパレットの前記２つの固定輪とがそれぞれ対向した状態で、前記他のロールパレットの前記一方の短辺側と密着連結できるようにし、前記ロールパレットおよび前記他のロールパレットの前記固定輪をすべて接地させるようにしたロールパレット。
【発明の詳細な説明】
【技術分野】
【０００１】  本発明はロールパレットのうち、２つの自在輪（キャスタ）および２つの固定輪を底面の４つの隅に１つずつ持つロールパレットの連結に関する。
【発明の概要】
【発明が解決しようとする課題】
【０００２】  各車両が２つの自在輪および２つの固定輪を持つロールパレット２台を連結するとき、従来は前車の固定輪に後車の自在輪を向き合わせ、移動の時、曲がれるようにするため、前車と後車との間を空けて連結した。密着連結すると曲がることができないからである。本発明は密着連結しても曲がることができるロールパレットを得ることが目的である。
【課題を解決するための手段】
【０００３】  固定輪側に連結器５を設け、他車の固定輪側と密着連結できるようにする（図１、図２Ａ）。連結器を操作することにより、連結を解除することもできる（図２Ｂ）。【０００４】  ２台を図１のように連結し、前車の自在輪のある端を車体長軸方向と直角の方向に押すと、同車は旋回内側の固定輪を中心として旋回を始める。この時、後車の固定輪が横滑りすることになり、前車の旋回を阻止する抵抗力となるが、前車固定輪と後車固定輪との距離Ｄよりも前車の自在輪―固定輪間の距離Ｌの方が遥かに大きいので、前車の旋回力（回転モーメント）は後車の抵抗力（回転モーメント）よりも大きいものとなり、後車の固定輪は前車の旋回を阻止することができず、後車は前車につられて旋回する。
【発明を実施するための形態】
【０００５】  前車の固定輪のある端と後車の固定輪のある端とを向き合わせ、連結する（図１）。連結器の例を図２に示す。Ａは連結した時、Ｂは連結を解除した時である。
【発明の効果】
【０００６】  本発明を用いれば、２台連結しても従来のようには全長が長くならず、扱いやすい。また、密着連結なので、連結器は小型のもので済み、操作が簡単である。
【図面の簡単な説明】
【図１】本発明実施例の底面図。
【図２】本発明実施例の連結器付近の側面図。
【符号の説明】      １  前車
２  後車
３  自在輪
４  固定輪
５  連結器
【図１】
0006895597.tif 000002
【図２】
0006895597.tif 000003